(57)【要約】【課題】対物レンズの出射パワーを正確に検出できるフロントモニタ検出器を光路上に配置するピックアップ装置及びこのピックアップ装置を用いたディスク装置を提供する。【解決手段】少なくとも１つ以上の光源から照射されるレーザ光を対物レンズ３０７を介してディスクに照射するディスク装置において、光源２０１、２０２と対物レンズ３０７との間の光学路を透過するレーザ光のガウシアン分布の中心部から周辺部まで検出可能とするフロントモニタ検出器３０５と、フロントモニタ検出器３０５の検出出力に基づいて、光源２０１、２０２から照射されるレーザ光のパワーを制御するＡＰＣ制御回路７０４とを具備することを特徴とする。【選択図】      図１
2004178762.tif 000002
【特許請求の範囲】
【請求項１】
光源から照射されるレーザ光を対物レンズに導くための光学路を形成する光学部品と、
この光学部品によって形成された前記光学路を透過する前記レーザ光の光強度分布の中心部から周辺部まで検出可能とするフロントモニタとを具備することを特徴とするピックアップ装置。
【請求項２】
光源から照射されるレーザ光を対物レンズに導くための光学路を形成する光学部品と、
この光学部品によって形成された前記光学路を透過する前記レーザ光の光強度分布の中心部と周辺部とを検出するための少なくとも２つ以上のフロントモニタとを具備することを特徴とするピックアップ装置。
【請求項３】
前記フロントモニタは、複数の領域に分割され、この分割された前記複数の領域毎に前記レーザ光の光強度を検出することを特徴とする請求項１または２いずれかに記載のピックアップ装置。
【請求項４】
光源から照射されるレーザ光を対物レンズを介してディスクに照射するディスク装置において、
前記光源と前記対物レンズとの間の光学路を透過する前記レーザ光の光強度分布の中心部から周辺部まで検出可能とするフロントモニタと、
前記フロントモニタの検出出力に基づいて、前記光源から照射される前記レーザ光のパワーを制御する制御手段とを具備することを特徴とするディスク装置。
【請求項５】
光源から照射されるレーザ光を対物レンズを介してディスクに照射するディスク装置において、
前記光源と前記対物レンズとの間の光学路を透過する前記レーザ光の光強度分布の中心部と周辺部とを検出するための少なくとも２つ以上のフロントモニタと、
これらフロントモニタの検出出力に基づいて、前記光源から照射される前記レーザ光のパワーを制御する制御手段とを具備することを特徴とするディスク装置。
【請求項６】
前記フロントモニタは、複数の領域に分割され、この分割された前記複数の領域毎に前記レーザ光の光強度を検出することを特徴とする請求項４または５いずれかに記載のディスク装置。
【発明の詳細な説明】
【０００１】
【発明の属する技術分野】
この発明は、光ビームを用いて記録媒体に情報を記録し、また既に記録されている情報を記録媒体から読み出すピックアップ装置及びこのピックアップ装置を用いたディスク装置に関する。
【０００２】
【従来の技術】
周知のように、近年、記録媒体の分野においては、オーディオやデジタルデータを記録した従来のＣＤ（Ｃｏｍｐａｃｔ  Ｄｉｓｋ）の直径（１２ｃｍ）と同じ大きさでありながら、高密度記録が可能なＤＶＤ（Ｄｉｇｉｔａｌ  Ｖｅｒｓａｔｉｌｅ  Ｄｉｓｋ）が開発されている。このＤＶＤは、その記録密度が高いために、ＣＤのデータを読み取る光の波長（７８０ｎｍ）よりも短い波長（６５０ｎｍ）のビームを必要とされる。
【０００３】
光ディスク装置としては、ＣＤ、ＤＶＤのいずれのディスクシステムも記録再生可能なものが望まれている。これにより、所定の波長のレーザ光をそれぞれ放射する発光素子（レーザ素子）を用いた光ピックアップ装置として、ＣＤ用の第１の光源（波長７８０ｎｍ）と、ＤＶＤ用の第２の光源（波長６５０ｎｍ）とを有するものが開発されている。このように、光ピックアップ装置は、第１の光源（ＣＤ用）と第２の光源（ＤＶＤ用）とを有する。
【０００４】
そこで、従来では、この第１の光源もしくは第２の光源から照射されたレーザ光のうち、例えば中心付近の一部のレーザ光がビームスプリッタ、対物レンズ等の光学素子を介して光ディスクに照射されるとともに、この照射されたレーザ光はビームスプリッタが持つ透過反射面などによってビームスプリッタに近接して配置されたフロントモニタ検出器にも受光されるようになっている。そして、このフロントモニタ検出器で受光されたレーザ光の光量に応じた電気信号がＡＰＣ回路へ出力され、ＡＰＣ回路はこの電気信号に応じて各光源の出力の制御を行っている。（例えば、特許文献１参照）。
【０００５】
【特許文献１】
特開平４−０７８０２９号公報
【０００６】
【発明が解決しようとする課題】
このように従来の光ピックアップ装置は、照射するレーザ光のガウシアン分布（レーザ光の光強度が中心付近で最も強く、周辺付近で弱くなる）のパターンは変化しないものと仮定し、例えばレーザ光の中心付近を受光できるように光路の一部にフロントモニタ検出器を配置してモニタしていた。すなわち、例えばレーザ光の出射パワーが２倍になると、ガウシアン分布のパターンも中央付近及び周辺付近でそれぞれ２倍となる。そのため、フロントモニタ検出器を光強度が最も強い中心付近のレーザ光をモニタすればよく、１個のフロントモニタ検出器で十分であった。
【０００７】
ところが、最近ではレーザ光の出力パワーが変化すると放射角が変化してガウシアン分布のパターンも変化する、リアルインデックスガイド型の半導体レーザが出てきている。このリアルインデックスガイド型の半導体レーザは、例えばレーザ光の出力パワーが２倍になると、ガウシアン分布のパターンは中心付近では約１．８倍、周辺付近では約２．２倍程度となり、パターンが変化してしまう。このようにガウシアン分布のパターンが変化すると、レーザ光の中心付近をモニタするだけでは正確な出射パワーを検出することはできない。すなわち、フロントモニタ検出器の感度そのものが変化して所望のレーザパワーとならなくなる。その上、レーザ光の放射角が変化するとなると、集光スポットの状態も変化して記録に寄与する効率も変化してしまうことになる。
【０００８】
本発明はこのような課題を解決するためのもので、対物レンズの出射パワーを正確に検出できるフロントモニタ検出器を光路上に配置するピックアップ装置及びこのピックアップ装置を用いたディスク装置を実現することを目的とする。
【０００９】
【課題を解決するための手段】
この発明は、上記の目的を達成するために、少なくとも１つ以上の光源から照射されるレーザ光を対物レンズに導くための光学路を形成する光学部品と、この光学部品によって形成された前記光学路を透過する前記レーザ光の光強度分布の中心部から周辺部まで検出可能とするフロントモニタとを具備することを特徴とする。
【００１０】
上記の構成により、リアルインデックスガイド型の半導体レーザを有した場合に、レーザ光のガウシアン分布のパターンが変わってしまうため、ガウシアン分布の中心付近から周辺付近を受光できるよう、フロントモニタ検出器を光路上の適当な位置に配置することで、対物レンズの出射パワーに比例した電圧を得ることができ、正確に対物レンズからの出射パワーを検出することができる。
【００１１】
また、この発明は、上記の目的を達成するために、少なくとも１つ以上の光源から照射されるレーザ光を対物レンズに導くための光学路を形成する光学部品と、この光学部品によって形成された前記光学路を透過する前記レーザ光の光強度分布の中心部と周辺部とを検出する少なくとも２つ以上のフロントモニタとを具備することを特徴とする。
【００１２】
上記の構成により、フロントモニタを２個使用することで、ガウシアン分布の中心付近と周辺付近の２箇所のみ光強度を検出することができ、正確に対物レンズからの出射パワーを検出することができる。
【００１３】
【発明の実施の形態】
以下、この発明の実施の形態について、図面を参照して詳細に説明する。
図１（ａ）（ｂ）は、この実施の形態で説明する光ピックアップ装置の構造を示しており、図１（ａ）は平面図、図１（ｂ）は側面図である。以下、この両方の図を参照しながら説明する。
【００１４】
すなわち、シャーシ１０１の一方の側壁１０２には、第１の光源ユニット２０１が取り付けられている。この第１の光源ユニット２０１は、波長７８０ｎｍのレーザビームを出射するＣＤ用の光源（第１の光源）であり、ハイパワー出力が可能なリアルインデックスガイド型の半導体レーザを使用している。
【００１５】
そして、この第１の光源ユニット２０１内には、ディスク４００からの反射光がホログラム３０１により回折されて照射され、再生信号、フォーカシングエラー信号及びトラッキングエラー信号を得るために光電変換を行なう光検出器２０が設けられている。
【００１６】
また、シャーシ１０１の他方の側壁１０３には、第２の光源ユニット２０２が取り付けられている。この第２の光源ユニット２０２は、波長６５０ｎｍのレーザ光を出射するＤＶＤ用の光源（第２の光源）であり、ハイパワー出力が可能なリアルインデックスガイド型の半導体レーザを使用している。
【００１７】
このように、光ピックアップ装置は、第１の光源（ＣＤ用）と、第２の光源（ＤＶＤ用）とを有する。第１の光源ユニット２０１から出射されたレーザ光は、シャーシ１０１の平面１０４上で、その平面１０４にほぼ平行な方向に放射され、ホログラム３０１を介してダイクロイックＰＢＳ３０２に入射する。
【００１８】
第１の光源ユニット２０１からのレーザ光は、ダイクロイックＰＢＳ３０２を直進した後、コリメータレンズ３０３で平行光となり、反射ミラー（プリズム）３０６に入射する。
【００１９】
このプリズム３０６で反射された光は、プリズム３０６の上部に配置された対物レンズ３０７に入射する。この対物レンズ３０７で合焦された光は、対物レンズ３０７の上部に位置する光ディスク４００の反射層（情報記録面）に照射される。
【００２０】
この光ディスク４００の情報記録面で反射された光は、対物レンズ３０７、プリズム３０６及びコリメータレンズ３０３を介して、ダイクロイックＰＢＳ３０２に入射する。
【００２１】
このダイクロイックＰＢＳ３０２に入射した反射光は、直進し、ホログラム３０１により回折されて、第１の光源ユニット２０１内の光検出器２０に入射され、前述した再生信号、フォーカシングエラー信号及びトラッキングエラー信号の生成に供される。
【００２２】
また、第１の光源ユニット２０１からのレーザ光は、ダイクロイックＰＢＳ３０２を直進した後、コリメータレンズ３０３を介してプリズム３０６を透過（直進）してフロントモニタ検出器３０５に入射される。このフロントモニタ検出器３０５に入射されたレーザ光は、後述するＡＰＣ回路に供給される。
【００２３】
また、第２の光源ユニット２０２から出射されたレーザ光は、シャーシ１０１の平面１０４上で、その平面１０４にほぼ平行な方向に放射され、ホログラム３１１を介してダイクロイックＰＢＳ３０２に入射する。
【００２４】
第２の光源ユニット２０２からのレーザ光は、ダイクロイックＰＢＳ３０２の内部で反射されて方向変換され、コリメータレンズ３０３に入射する。コリメータレンズ３０３に入射したレーザ光は、平行光となりプリズム３０６に入射する。
【００２５】
このプリズム３０６で反射された光は、プリズム３０６の上部に配置された対物レンズ３０７に入射する。この対物レンズ３０７で合焦された光は、対物レンズ３０７の上部に位置する光ディスク４００の反射層（情報記録面）に照射される。
【００２６】
この光ディスク４００の情報記録面で反射された光は、対物レンズ３０７、反射ミラー３０６及びコリメータレンズ３０３を介して、ダイクロイックＰＢＳ３０２に入射する。
【００２７】
このダイクロイックＰＢＳ３０２に入射した反射光は、直進し、ホログラム３０１により回折されて、第１の光源ユニット２０１内の光検出器２０に入射され、前述した再生信号、フォーカシングエラー信号及びトラッキングエラー信号の生成に供される。
【００２８】
また、第２の光源ユニット２０２からのレーザ光は、ダイクロイックＰＢＳ３０２で反射された後、コリメータレンズ３０３を介してプリズム３０６を透過（直進）してフロントモニタ検出器３０５に入射される。このフロントモニタ検出器３０５に入射されたレーザ光は、後述するＡＰＣ回路に供給される。
【００２９】
ここで、この実施の形態で説明する光ピックアップ装置には、ＡＰＣ処理のために、第１及び第２の光源ユニット２０１，２０２から選択的に出射されるレーザ光のうちの一部の光のパワーを検出するフロントモニタ検出器３０５が備えられている。このフロントモニタ検出器３０５は、第１及び第２の光源ユニット２０１，２０２から選択的に出射され、対物レンズ３０７に導かれるレーザ光の光学路の周囲であって、プリズム３０６を透過したレーザ光を受光できるよう配置される。
【００３０】
すなわち、このフロントモニタ検出器５０１は、プリズム３０６を透過したレーザ光（これは、第１及び第２の光源ユニット２０１、２０２のいずれから出射されるレーザ光も含む）のガウシアン分布の中心付近から周辺付近を受光して光電変換を行うことになる。
【００３１】
このため、第１及び第２の光源ユニット２０１、２０２のいずれから出射されるレーザ光のパワーが変化しても、正確にレーザ光のパワーを検出することが可能となり、第１及び第２の光源ユニット２０１、２０２に対してＡＰＣ処理を施すことができる。
【００３２】
なお、対物レンズ３０７は、図示しないレンズホルダによって保持されている。レンズホルダは、複数本のワイヤの一端部で支持されており、フォーカス方向及びトラッキング方向に微動制御可能である。複数本のワイヤは、シャーシ１０１に取り付けられるワイヤホルダによって保持されている。
【００３３】
また、レンズホルダには、例えば、小型のフォーカシング制御用永久磁石及びトラッキング制御用永久磁石が取り付けられている。これらの永久磁石に近接して、シャーシには、フォーカシング制御用ヨークコイル及びトラッキング制御用ヨークコイルが配置されている。
【００３４】
そして、これらのフォーカシング制御用ヨークコイル及びトラッキング制御用ヨークコイルに、それぞれフォーカシング制御信号及びトラッキング制御信号を供給することにより、対物レンズ３０７をフォーカス制御方向及びトラッキング制御方向にそれぞれ微動制御することができる。
【００３５】
上記した実施の形態によれば、リアルインデックスガイド型の半導体レーザを有した場合に、レーザ光のガウシアン分布のパターンが変わってしまうため、ガウシアン分布の中心付近から周辺付近を受光できるよう、フロントモニタ検出器３０５をプリズム３０６の後段に配置することで、対物レンズ３０７の出射パワーに比例した電圧を得ることができ、正確に対物レンズ３０７からの出射パワーを検出することができる。故に、第１及び第２の光源ユニット２０１、２０２に対してＡＰＣ処理を施すことが可能となる。
【００３６】
なお、この実施の形態では、光源が複数である必要はなく、１つの光源を備えた光ピックアップ装置にも適用可能である。
図２は、リアルインデックスガイド型の半導体レーザから照射されたレーザ光がプリズムを透過した際のガウシアン分布を示した図である。
例えば、第１の光源２０１からパワーＡというレーザ光が照射され、ホログラム３０１、ダイクロイックＰＢＳ３０２及びコリメータレンズ３０３を介してプリズム３０６に入射され、入射されたレーザ光がプリズム３０６を透過した際のガウシアン分布である。
【００３７】
また、第１の光源２０１からパワーＡの２倍（パワー２Ａ）の強度でレーザ光が照射され、上記同様にホログラム３０１、ダイクロイックＰＢＳ３０２及びコリメータレンズ３０３を介してプリズム３０６に入射され、入射されたレーザ光がプリズム３０６を透過した際のガウシアン分布である。
【００３８】
このガウシアン分布において、中心付近ではパワー２Ａで照射されたレーザ光はパワーＡで照射されたレーザ光の約１．８倍程度であり、また周辺付近ではパワー２Ａで照射されたレーザ光はパワーＡで照射されたレーザ光の約２．２倍程度である。したがって、レーザ光の中心付近と周辺付近ではガウシアン分布のパターンが変化してしまうのがわかる。
【００３９】
このため、従来のようなフロントモニタ検出器がガウシアン分布の中心付近のみを受光する位置に配置された場合、対物レンズ３０７から出射されるレーザ光が最適なパワーであるのかどうか正確に検出することはできない。
【００４０】
それを明確に示しているのが図３である。図３は、対物レンズの出射パワーに対するフロントモニタ出力電圧の関係図である。なお、横軸は対物レンズの出射パワー（ｍＷ）、縦軸はフロントモニタ検出器からの出力電圧である。
【００４１】
直線Ｙは、対物レンズから出射されるレーザ光のガウシアン分布のパターンが変化しないと仮定した場合を示しており、この場合、対物レンズの出射パワーが大きく（小さく）なれば、それにつれてフロントモニタ検出器３０５の出力電圧も大きく（小さく）なるという比例関係を保っている。それに対して、曲線Ｘは図２で示したＴの範囲をフロントモニタ検出器３０５で光強度を検出したもので、対物レンズ３０７の出射パワーが大きくなるにつれてフロントモニタ検出器３０５の出力電圧も大きくなっている。また、曲線Ｚは図２で示したＳの範囲をフロントモニタ検出器３０５で光強度を検出したもので、対物レンズ３０７の出射パワーが大きくなるにつれてフロントモニタ検出器３０５の出力電圧は小さくなっている。
【００４２】
このことから、もしガウシアン分布のパターンが変化しなければフロントモニタ検出器３０５はどの位置は配置しても直線Ｙの比例関係から、正確な対物レンズ３０７の出射パワーを検出することができる。しかしながら、今回のようにリアルインデックスガイド型の半導体レーザを使用した場合は、ガウシアン分布の中心付近と周辺付近ではパターンが異なり、ＳやＴの範囲のレーザ光を受光できるようにフロントモニタ検出器３０５を配置すると、曲線Ｘや曲線Ｚのようになり、正確な対物レンズ３０７の出射パワーを検出することができない。
【００４３】
そこで、本発明ではフロントモニタ検出器３０５を出射パワーのガウシアン分布の中心付近から周辺付近にかけて受光できる位置（図４の受光範囲Ｈ）に配置することが特徴である。このように配置することで、対物レンズ３０７の出射パワーに比例した電圧を得ることができる。
【００４４】
なお、フロントモニタ検出器３０５の配置する位置として、上記では受光範囲Ｈの部分を受光できるようにしているが、例えば、図４の受光範囲Ｅの部分を受光できるように、フロントモニタ検出器３０５を２個使用してもよい（図６（ａ）（ｂ）参照）。この場合でも、上記同様に対物レンズ３０７の出射パワーに比例した電圧を得ることができる。
【００４５】
さらに、フロントモニタ検出器３０５は、複数の領域に分割され、この分割された複数の領域に受光したレーザ光の光強度を領域毎に光電変換するものであってもよい。その場合、プリズム３０６の後段に配置して、プリズム３０６を透過したレーザ光の図４に示す受光範囲Ｈの部分の光強度を検出する。そして、各領域で検出した強度に基づいて、プリズム３０６を透過したレーザ光の全体のプロファイルを把握する。このため、レーザ光の出射パワーを正確に把握することができ、その時に最適な出射パワーを出射することができる。
【００４６】
次に、上述した光ピックアップ装置を用いた光ディスク装置の構成を説明する。
図５において、ＤＴは、記憶媒体としての前記光ディスク４００を保持するディスクテーブルである。このディスクテーブルＤＴは、サーボ回路により制御されるディスクモータにより回転駆動される。
【００４７】
符号１００は光ピックアップ装置であり、図１で説明したように、ディスクテーブルＤＴに保持されて所定の速度で回転される光ディスク４００の情報記録面にレーザビームを照射するとともに、光ディスク４００の情報記録面で反射された反射レーザビームを取り込んで、その反射レーザビームの光強度に対応する電気信号を出力する。
【００４８】
光ピックアップ装置１００は、ディスクテーブルＤＴに対して所定の位置関係に設けられたガイドレール６００に沿って、光ディスク４００の情報記録面に形成されたトラックの接線方向と直交する方向（光ディスク４００の半径方向すなわちトラッキング制御方向）に移動可能である。光ピックアップ装置１００は、モータによりガイドレール６００上を往復移動される。
【００４９】
光ピックアップ装置１００の第１の光源ユニット２０１に内蔵され、光ディスク４００からの反射光を受光する光検出器２０の出力信号は、信号処理回路７０１、トラッキング制御回路７０２及びフォーカシング制御回路７０３に導かれる。信号処理回路７０１は、光ディスク４００に記録されている情報を再生するための演算処理を実行する。
【００５０】
また、トラッキング制御回路７０２は、光ディスク４００から得られた信号を演算処理してトラッキングエラー信号を生成し、前記トラッキング制御用ヨークコイルに供給するトラッキング制御信号を生成している。フォーカシング制御回路７０３は、光ディスク４００から得られた信号を演算処理してフォーカシングエラー信号を生成し、前記フォーカシング制御用ヨークコイルに供給するフォーカシング制御信号を生成している。
【００５１】
ＡＰＣ回路７０４には、フロントモニタ検出器３０５の検出信号が導かれる。ＡＰＣ回路７０４は、入力された検出信号が予め設定しているレベルの信号であるかどうかを判別し、その判別結果に基づいて得られた制御信号をレーザ駆動回路７０５に供給している。
【００５２】
今、第１の光源ユニット２０１が動作状態にあるとすると、レーザ駆動回路７０５は、入力された制御信号に応じて、第１の光源ユニット２０１のレーザ光のパワーを制御する。また、今、第２の光源ユニット２０２が動作状態にあるとすると、レーザ駆動回路７０５は、入力された制御信号に応じて、第２の光源ユニット２０２のレーザ光のパワーを制御する。
【００５３】
これにより、出力レーザ光のパワーあるいは光ディスク４００からの反射光の光量が予め設定している規格上の範囲内に納まるように自動制御されることになる。
上記第１及び第２の光源ユニット２０１、２０２では、それぞれ、所定の波長のレーザ光を放射するリアルインデックスガイド型の半導体レーザ素子が用いられている。
【００５４】
また、対物レンズ３０７は、前記レンズホルダにより、トラックの接線方向と直交する方向（光ディスク４００の半径方向）及びレーザビームの通過方向（光ディスク４００の情報記録面と直交する方向）のそれぞれに移動可能に支持されている。
【００５５】
光ディスク４００の半径方向は、トラッキング制御方向と呼ばれる。光ディスク４００の情報記録面と直交する方向は、フォーカシング制御方向と呼ばれる。トラッキング制御回路７０２は、トラッキングエラー信号からトラッキング制御信号を生成して、前記トラッキング制御用ヨークコイルに供給する。また、フォーカシング制御回路７０３は、フォーカシングエラー信号からフォーカシング制御信号を生成して、前記フォーカシング制御用ヨークコイルに供給する。
【００５６】
全体の回路の動作タイミングや、動作条件（パラメータ等）の切替制御は、システム制御部７１０からの制御信号により設定される。また、この光ディスク装置には、電源装置、装置自体を動作させる際に読み出されるプログラムが記憶されているＲＯＭ（Ｒｅａｄ  Ｏｎｌｙ  Ｍｅｍｏｒｙ）、光ディスク４００から読み出されたデータまたはホストコンピュータ等から入力されるデータならびに制御データ等を一時的に記憶するＲＡＭ［Ｒａｎｄｏｍ  Ａｃｃｅｓｓ  Ｍｅｍｏｒｙ（作業メモリ）］等が設けられている。
【００５７】
上記の説明では、光ディスク４００からの情報再生時の動作について説明したが、この発明の装置は、ＲＡＭディスクに対する情報記録に対して適用できることはもちろんである。このときは、レーザ駆動回路７０５は、記録情報に応じて変調制御されるとともに、ＡＰＣ回路７０４によりレーザ光の平均的なパワーが記録レベルに達するように制御される。
【００５８】
なお、本発明は、上記実施形態に限定されるものではなく、実施段階では、その要旨を逸脱しない範囲で種々に変形することが可能である。
【００５９】
【発明の効果】
以上のように、リアルインデックスガイド型の半導体レーザが使用されると、レーザ光のガウシアン分布のパターンが変化してしまうため、ガウシアン分布の中心付近から周辺付近の光強度を受光できるよう、フロントモニタ検出器を光路上の適当な位置に配置することで、対物レンズからの出射パワーを正確に検出することができる。
【００６０】
また、ガウシアン分布の中心付近と周辺付近の２箇所の光強度を受光できるよう、フロントモニタ検出器を２個光路上に配置することで、対物レンズからの出射パワーを正確に検出することができる。
【００６１】
さらに、フロントモニタ検出器を複数に分割させて、分割された各領域毎にレーザ光の光強度を検出して、プリズムを透過したレーザ光の全体のプロファイルを把握することで、上記同様、対物レンズからの出射パワーを正確に検出することができる。
【図面の簡単な説明】
【図１】本発明に係る一実施形態の光ピックアップ装置の構成図である。
【図２】リアルインデックスガイド型の半導体レーザから照射されたレーザ光がプリズムを透過した際のガウシアン分布を示した図である。
【図３】対物レンズの出射パワーに対するフロントモニタ出力電圧の関係図である。
【図４】レーザ光のガウシアン分布に対するフロントモニタ検出器の受光範囲を示す図である。
【図５】光ピックアップ装置を用いた光ディスク装置の構成を示した図である。
【図６】フロントモニタ検出器を２個配置した際の光ピックアップ装置の構成図である。
【符号の説明】
３０１、３１１    ホログラム
３０２    ダイクロイックＰＢＳ
３０３    コリメータレンズ
３０５    フロントモニタ検出器
３０６    プリズム
３０７    対物レンズ
７０１    信号処理回路
７０２    トラッキング制御回路
７０３    フォーカシング制御回路
７０４    ＡＰＣ回路
７０５    レーザ駆動回路
７１０    システム制御部
【図１】
2004178762.tif 000003
【図２】
2004178762.tif 000004
【図３】
2004178762.tif 000005
【図４】
2004178762.tif 000006
【図５】
2004178762.tif 000007
【図６】
2004178762.tif 000008